(57)【要約】      （修正有）【課題】高い使用性を有する食品用容器を提供する。【解決手段】円形状の底部１１と、底部１１と連続して形成され、曲面及び底部１１に対して傾斜する傾斜面により形成された第１壁部２１、及び、第１壁部２１と連続して形成される底部１１の面方向と直交する方向に延設された第２壁部２２を有し、その開口の一方が方形状であって他方が半楕円形状に形成された壁部１２と、第２壁部２２に連続して形成されたフランジ部１３と、を備える構成とする。【選択図】図２
2013199288.tif 000002
【特許請求の範囲】
【請求項１】
円形状の底部と、
前記底部と連続して形成され、曲面及び前記底部に対して傾斜する傾斜面により形成された第１壁部、及び、前記第１壁部と連続して形成される前記底部の面方向と直交する方向に延設された面が少なくとも形成された第２壁部を有し、その開口の一方が方形状であって他方が半楕円形状に形成された壁部と、
前記第２壁部に連続して形成されたフランジ部と、
を備えることを特徴とする食品用容器。
【請求項２】
前記方形状側の前記第１壁部は、前記半楕円形状側の前記第１壁部よりも、前記底部に対する傾斜角度がなだらかに形成されることを特徴とする請求項１に記載の食品用容器。
【請求項３】
前記第２壁部は、前記第１壁部の上端に形成され、前記底部の面方向に沿って形成された第１面部と、前記底部の面方向と直交する方向に延設されるとともに、その上端に前記フランジ部が形成された第２面部と、を具備し、
前記フランジ部は、前記底部の面方向に沿って延設されることを特徴とする請求項１に記載の食品用容器。
【請求項４】
前記フランジ部に固定され、前記壁部の開口を閉塞する蓋部をさらに備えることを特徴とする請求項１乃至請求項３に記載の食品用容器。
【発明の詳細な説明】
【技術分野】
【０００１】
本発明は、食品を包装可能な食品用容器に関する。
【背景技術】
【０００２】
従来から、上肢の衰えや機能低下等の要介護者や乳幼児が使用する自助具、及び、介護者や乳幼児の保護者等が使用する介護用具として、スプーンで食品を掬う行為を補助する形状に形成された食品用容器が知られている。
【０００３】
このような食品用容器として、例えば、一方の壁面を垂直にし、他方の壁面を傾斜面とする深皿食器が知られている（例えば、特許文献１参照）。このような容器は、スプーンを一方の壁面に当接させて上方へ移動させることで、食品を掬いやすく、且つ、他方の壁面によりスプーンを案内することで、スプーンの操作が容易となる。また、この食品用容器は、周方向に複数個のリブを設けることで、複数の容器を積層可能な技術も知られている。
【０００４】
また、容器の周壁の一側を容器本体内方へ円弧状に屈曲形成するとともに、底部裏面に易剥離性粘着物を設けた食事用容器が知られている（例えば、特許文献２参照）。このような食事用容器は、屈曲した周壁により、屈曲形成した周壁に沿ってスプーンを引き上げることで、食品を口に入れやすい形状に整えることが可能となる。また、当該食事用容器は、底部裏面の易剥離性粘着物により、食卓上に固定載置が可能となる。また、特許文献２には、食事用容器を、食品を包装する包装容器として用いる技術も開示されている。
【先行技術文献】
【特許文献】
【０００５】
【特許文献１】登録実用新案第３０２２５７３号公報
【特許文献２】特開２００２−２４０８５８号公報
【発明の概要】
【発明が解決しようとする課題】
【０００６】
上述した食品用容器では、以下の問題があった。即ち、特許文献１及び特許文献２に開示された食品用容器は、上面視で円形状であることから、スプーンの挿入側が一見しては分かりにくく、視認性が悪い、という問題があった。また、これら食品用容器は、上面視で円形状であることから、スプーンを容器の周縁に立掛けると、当該周縁に沿って移動し、スプーンが容器内に倒れる虞があった。このため、食事の再開時に、スプーンを取り出しにくい、という問題もある。
【０００７】
また、特許文献２に記載された食品用容器では、周壁の一側を容器本体内方へ円弧状に屈曲形成すると、スプーンの移動距離が長くなる。また、スプーンの移動方向は、手前方向に移動後、奥方向及び上下方向に移動させる所謂スプーンの返し動作が必要となる。
【０００８】
このため、介護用具としては、介護者等がスプーンを使用するため、当該返す動作が容易に可能であるものの、自助具としては、スプーンを返す動作が困難となり、使用が制限される虞がある。また、屈曲形成された周壁により、容器内の食品が覆われることから、容器内の食品の視認性が悪い、という問題もある。
【０００９】
また、特許文献１に記載された食品用容器は、複数を積層する際に、フランジにリブを設ける必要があり、構成が複雑となる。特許文献２に記載された食品用容器は、包装容器として、上面外周部にリブを設け、蓋体を設ける構成が記載されているものの、その開口面積が、底面積よりも小さい構成であることから、積層することが難しく、製造時の搬送製が悪い、という問題がある。
【００１０】
これらのことから、所謂ユーザビリティ（usability）と呼ばれる使用性が高い食品用容器が求められている。
【００１１】
そこで本発明は、高い使用性を有する食品用容器を提供することを目的とする。
【課題を解決するための手段】
【００１２】
前記課題を解決し目的を達成するために、本発明の食品用容器は、次のように構成されている。
【００１３】
本発明の一態様として、円形状の底部と、前記底部と連続して形成され、曲面及び前記底部に対して傾斜する傾斜面により形成された第１壁部、及び、前記第１壁部と連続して形成される前記底部の面方向と直交する方向に延設された第２壁部を有し、その開口の一方が方形状であって他方が半楕円形状に形成された壁部と、前記第２壁部に連続して形成されたフランジ部と、を備える。
【発明の効果】
【００１４】
本発明によれば、高い使用性を有する食品用容器を提供することが可能となる。
【図面の簡単な説明】
【００１５】
【図１】本発明の一実施形態に係る食品用容器の構成を示す斜視図。
【図２】同食品用容器に用いられる容器体の構成を示す斜視図。
【図３】同容器体の構成を示す斜視図。
【図４】同容器体の構成を示す上面図。
【図５】同容器体の構成を示す断面図。
【図６】同容器体の構成を示す断面図。
【図７】同容器体の使用の一例を示す断面図。
【図８】同容器体の使用の一例を示す断面図。
【発明を実施するための形態】
【００１６】
以下、本発明の一実施形態に係る食品用容器１の構成を、図１乃至図８を用いて説明する。
【００１７】
図１は、本発明の一実施形態に係る食品用容器１の構成を示す斜視図、図２は食品用容器１に用いられる容器体２の構成を示す斜視図、図３は容器体２の構成を示す斜視図、図４は容器体２の構成を示す上面図、図５は容器体２の構成を図４中Ｖ−Ｖ断面で示す断面図、図６は容器体２の構成を図４中ＶＩ−ＶＩ断面で示す断面図、図７は容器体２の使用の一例を示す断面図、図８は容器体２の使用の一例を示す断面図である。
【００１８】
図１に示すように、食品用容器１は、食品１００を保持する容器体２と、容器体２を密閉する蓋体３と、を備えている。このような食品用容器１は、自助具及び介護用具として用いられる。また、食品用容器１は、その内部に、容器体２及び蓋体３により気密性を有して食品１００を包装する食品用の包装容器である。
【００１９】
容器体２は、蓋体３とともに食品１００を包装するとともに、蓋体３を除去後、自助具及び介護用具として食品を保持する容器である。図１乃至図６に示すように、容器体２は、底部１１と、壁部１２と、フランジ部１３と、を備えている。底部１１は、円形状に形成されている。底部１１は、その中心が、図４に示す上面視で、フランジ部１３及び後述する第２壁部２２の重心（中心）から一方側に偏心して配置される。
【００２０】
壁部１２及びフランジ部１３は、図４に示す上面視で、フランジ部１３の後述する方形状部２４及び楕円形状部２５の境界位置から一方側が方形状に形成されるとともに、他方側が半楕円形状に形成されている。また、図４に二点鎖線で半楕円形状の対称形状を示すように、壁部１２及びフランジ部１３は、フランジ部１３の中心から方形状側及び楕円形状側のそれぞれの端部までの長手方向の長さが、略同一に形成されている。
【００２１】
壁部１２は、底部１１に連続して形成されている。壁部１２は、図２、図３及び図５に示すように、底部１１から所定の曲面及び傾斜面で形成された第１壁部２１と、第１壁部２１の上端及びフランジ部１３と連続する第２壁部２２と、を備えている。
【００２２】
第１壁部２１は、底部１１を挟んで一方側に上面視で方形状に形成された方形状部２４と、他方側に上面視で半楕円形状に形成された楕円形状部２５と、を備えている。方形状部２４及び楕円形状部２５は、底部１１から上端部までの高さが同一の高さに形成されている。
【００２３】
方体状部２４は、その上端部の外周が、上面視で楕円形状部２５に連続し、側方の端部を形成する２つの直線部分と、当該側方の直線部分に直交する端部を形成する直線部分とが連続することにより方形状を形成する。
【００２４】
方形状部２４は、曲面により形成される。方形状部２４は、底部１１と連続する端部から第２壁部２２と連続する端部までが所定の曲率の曲面で形成されている。楕円形状部２５は、底部１１と連続する端部が、所定の曲率の曲面で形成されるとともに、その中途部から第２壁部２２と連続する端部までが、底部１１の主面方向と所定の角度を成す傾斜面により連続する。
【００２５】
なお、方形状部２４は、その曲率が、楕円形状部２５の曲面の曲率よりも小さく形成されている。換言すると、方形状部２４は、その曲面の曲率半径が、楕円形状部２５の曲面の曲率半径よりも大に形成されている。
【００２６】
また、第１壁部２１は、底部１１から楕円形状部２５の最外周端部までの距離が、底部１１から方形状部２４の最外周端部までの距離よりも短く形成されている。第１壁部２１は、楕円形状部２５の上端から底部１１までを連続してなる傾斜面が、方形状部２４の上端から底部１１までを連続してなる傾斜面よりも、少なくとも第２壁部２２側で傾斜角度が大に形成されている。
【００２７】
第１壁部２１は、底部１１の中心から一方側に方形状部２４が、他方側に楕円形状部２５が、それぞれ連続する。また、第１壁部２１は、第２壁部２２の長手方向の略中心から一方側に方形状部２４が、他方側に楕円形状部２５が、それぞれ連続する。
【００２８】
即ち、第１壁部２１は、第２壁部２２の方形状部２４及び楕円形状部２５の境界位置から方形状部２４及び楕円形状部２５の各外周端までの距離が同一に形成されるとともに、底部１１において、当該底部１１の中心から楕円形状部２５の外周端までの距離が方形状部２４の外周端までの距離よりも短く形成されている。
【００２９】
第２壁部２２は、第１壁部２１の上端に形成された第１面部３１と、当該第１面部３１と連続して形成され、底部１１の面方向に対して直交する方向に延設された第２面部３２と、を備えている。
【００３０】
第１面部３１は、方形状部２４及び楕円形状部２５の上端から底部１１の面方向に沿って連続して形成されている。第１面部３１は、容器体２が積層されたときに、その下面が他の容器体２のフランジ部１３の上面と当接可能に形成されている。なお、第１面部３１は、他の容器体２のフランジ部１３と当接した際に、壁部２１を他の容器体２の壁部２１と離間可能に形成されている。
【００３１】
フランジ部１３は、第２壁部２２の第２面部３２の上端に連続して形成され、底部１１の面方向に沿って形成されている。フランジ部１３は、その上面に、蓋体３を接着、圧着又は溶着等により固定可能に形成されている。なお、フランジ部１３は、固定された蓋体３の外周縁がフランジ部１３の上面から離間するように、その外周縁が、一部切欠して構成されていてもよい。
【００３２】
蓋体３は、フランジ部１３を覆うとともに、フランジ部１３に固定されることで、底部１１及び壁部１２からなる空間を密閉可能に形成されている。蓋体３は、例えば、樹脂材料やアルミ箔で形成されている。例えば、蓋体３は、ポリエチレンやポリプロピレン等の樹脂材料でフィルム状に形成されている。
【００３３】
このように構成された食品用容器１は、楕円形状部２５を使用者の利き腕側と逆側に配置し、容器体２内の食品を掬うスプーンを方形状部２４側から挿入するとともに、方形状部２４から楕円形状部２５に向かって、換言すると利き腕側から利き腕側と逆方向へとスプーンを移動させて使用する。
【００３４】
具体的に説明すると、食品用容器１は、第１壁部２１の方形状部２４及び楕円形状部２５により、容器体２が上面視でその長手方向の一方が方形状に形成され、他方が、上面視で楕円形状の半円形状に形成される。また、第１壁部２１の方形状部２４は、楕円形状部２５よりも、底部１１までの傾斜角度がなだらかに形成されるとともに、第１壁部２１の傾斜面の長さが長く形成される。
【００３５】
このため、容器体２の方形状部２４側の開口面積は、楕円形状部２５の開口面積よりも広くなることから、容器体２内へのスプーンの挿入が容易となる。このため、スプーンは、容器体２の方形状部２４側の開口から挿入する。
【００３６】
また、方形状部２４が楕円形状部２５よりも底部１１までの距離が長く、且つ、傾斜角度が小さい。即ち、方形状部２４は、楕円形状部２５よりもなだらかに形成されており、方形状部２４の上面に接触させたスプーンを底部１１に移動させた際には、スプーンの底部１１の面方向の移動に対して上下方向の移動量が少なくてよい。
【００３７】
このため、挿入したスプーンを方形状部２４の上面に接触させた状態で底部１１へ移動させることで、方形状部２４の上面に過度にスプーンを押し付けることを要さず、スプーンを方形状部２４上面に接した状態で底部１１へ移動させることが可能となる。スプーンは、方形状部２４から連続して底部１１上面に接した状態で移動することから、方形状部２４上のスプーンの進行方向に位置する食品の一部を掬いながら、底部１１へと移動される。なお、当該食品の他部は、スプーンの側面及びスプーン上面に掬われた食品により、スプーンの移動に伴って移動する。
【００３８】
次に、底部１１上面に接した状態で、スプーンをさらに移動させることで、スプーンは、底部１１上のスプーンの進行方向に位置する食品の一部を掬う。なお、当該食品の他部は、スプーンの側面及びスプーン上面に掬われた食品により、スプーンの移動に伴って移動する。
【００３９】
さらに、スプーンを移動させると、スプーンは、底部１１から、楕円形状部２５へ移動する。楕円形状部２５は、方形状部２４よりも、底部１１からその端部までの距離が短く、且つ、傾斜角度が大に傾斜されていることから、スプーンを楕円形状部２５に沿ってさらに移動させることで、スプーンは楕円形状部２５の端部に案内される。これにより、スプーンを返さなくとも、スプーンが上方に移動し、食品が楕円形状部２５の傾斜角度によって、スプーン上面に移動する。
【００４０】
また、さらにスプーンを移動させると、スプーンは、第１壁部２１から第２壁部２２へと移動することとなり、スプーンは、第２壁部２２に沿って上方に移動する。この移動により、スプーン及びスプーン上の食品により押された食品は、第２壁部２２により案内されてスプーン上に移動する。このため、スプーンを返す動作をしなくても、容器体２内の食品をスプーンにより掬うことが可能となる。
【００４１】
このように構成された食品用容器１によれば、底部１１を挟んで一方を方形状に、他方を楕円形状に形成することで、一方側の開口面積が大、換言すると、一方側の端部の幅が大となることから、スプーンを容器体２内に移動させることが容易となる。また、スプーンを容器体２内に移動させる側は、方形状で幅が広い側であり、容器体２は、その形状から幅が広いほうが方形状に形成されていることから、一見してスプーンの挿入側が分かる。即ち、食品用容器１は、容器体２のスプーンの移動方向等の視認性及び認識性が良い。
【００４２】
また、容器体２は、方形状部２４の傾斜角度がなだらかな曲面により形成されており、且つ、方形状部２４の端部から底部１１迄の距離が長く形成されていることから、スプーンを方形状部２４の上面に沿って底部１１に移動することが容易となる。
【００４３】
また、食品用容器１は、楕円形状部２５の傾斜角度が方形状部２４よりも大に形成されており、且つ、底部１１から楕円形状部２５の端部までの距離が短く形成されている。このため、楕円形状部２５の上面に沿ってスプーンを移動させることで、スプーン及びスプーン上に押されて移動する食品の下方にスプーンが位置することとなり、当該移動により当該移動する食品をスプーンの上面に位置させることが可能となる。
【００４４】
また、容器体２は、第１壁部２１の上部に、底部１１に直交する方向に延設された第２壁部２２を設けることで、楕円形状部２５を移動したスプーンが、第２壁部２２に沿って上方に移動することから、スプーンを返す動作をすることなく、スプーンに押されて移動する食品を掬うことが可能となる。
【００４５】
このように、食品用容器１は、壁部１２の形状によって、スプーンの移動を案内し、且つ、容器体２内の食品をスプーン上に案内することが可能となる。また、食品用容器１は、壁部１２の形状によってスプーンの移動を案内することで、スプーンの返し動作を要さなくても、スプーンにより食品を掬うことが可能となる。
【００４６】
特に、自助具として用いる場合には、スプーンを精密に移動させる動作、及び、スプーンを返して掬う動作が困難な場合も多い。しかし、食品用容器１は、その壁部１２の形状によって、スプーンを案内し、且つ、食品をスプーン上に移動させることで、自助具や、介護用具として高い使用性を有する。
【００４７】
また、容器体２は、その一方、即ち、第１壁部２１の方形状部２４側が、上面視で方形状に形成されることから、その第２壁部２２の周縁は直線状に配置される。このため、食事を休止し、スプーンを容器体２上に載置する場合には、方形状部２４側の第２壁部２２にスプーンを立て掛けることで、スプーンを安定して載置することが可能となる。
【００４８】
具体的に説明すると、スプーンを立て掛けて容器体２に載置する場合に、楕円形状部２５側の第２壁部２２のように、その内周縁が湾曲していると、スプーンの先端の容器体２に接触する部位と、スプーンの握持部の容器体２に接触する部位の連続線が、スプーンが接触する湾曲する内周縁の接平面に対して直交する方向からずれて配置される虞が高い。スプーンの連続線が内周縁の接平面に対して直交する方向からずれると、スプーンは、スプーン先端の接触部位を中心に、第２壁部２２の内周縁に沿って回動する虞がある。
【００４９】
これに対し、スプーンを方形状部２４側の第２壁部２２に立てかけて容器体２に載置することで、方形状部２４側の第２壁部２２は直線状に延設されることから、スプーンは回動する虞がなく、このため、容器体２は、スプーンを安定して載置することが可能となる。
【００５０】
また、容器体２は、第２壁部２２の第１面部３１が、他の容器体２、具体的には、図７及び図８に示すように、複数の容器体２が積層された際に、その下段に位置する容器体２のフランジ部１３の上面と当接可能に形成される。このため、容器体２は、食品を包装する際等に、積層して複数を搬送することが可能となり、搬送性がよい。容器体２は、リブ等を要さず、簡単な構成でよい。
【００５１】
容器体２は、その第１面部３１及び他の容器体２のフランジ部１３が面で当接することから、複数積層したときに、受圧面積を確保可能となる。これにより、自重による変形を極力防止するとともに、安定して積層することが可能となる。
【００５２】
また、積層した容器体２は、第１面部３１及びフランジ部１３が、底部１１に沿った面、即ち、重力方向に直交する方向の面で互いに当接することから、自重による重力方向の力が印加されても、積層された容器体２同士を分離する際に、当該分離を阻害することがない。換言すると、容器体２は、第１面部３１が他の容器体２のフランジ部１３と当接しても、壁部１２が他の容器体２の壁部１２と接触しないことから、積層する容器体２の壁部１２同士が嵌合することを防止可能となる。これにより、積層した容器体２の分離が容易となる。
【００５３】
また、食品用容器１は、容器体２にフランジ部１３を有することで、容器体２に蓋体３を固定することが可能となる。これにより、食品用容器１は、密閉して食品を包装可能な包装容器を成す。
【００５４】
また、容器体２は、フランジ部１３を有することで、その強度を向上することが可能となるとともに、楕円形状側がその形状により外力を分散可能となり、方形状側よりも高い強度を有する。即ち、底部１１が円形状であり、底部１１の中心が楕円形状部２５と方形状部２４の境界よりも楕円形状側に偏心していることにより、楕円形状側の第１壁部２１は、上面視でアーチ状又は円弧状となり、方形状側よりも強度が高くなる。
【００５５】
特に、容器体２は、その楕円形状側が使用者の利き腕側に位置する構成であり、スプーンで掬う際に、楕円形状側が握持されることにより、楕円形状側により力が印加される可能性がある。また、容器体２は、その形状及び使用方法によって、口があてがわれる可能性がある。
【００５６】
このため、容器体２は、楕円形状側が方形状側よりも高い強度とすることで、使用時の容器体２の変形を極力防止することが可能となる。
【００５７】
また、容器体２は、第１壁部２１の方形状部２４を所定の曲率の曲面とすることで、スプーンの底面の曲面との接触面積を増加させ、スプーンを確実に保持し、スプーンを安定して移動させることが可能となる。このように、容器体２は、スプーンを円滑に操作することが可能となる。
【００５８】
上述したように本発明の一実施形態に係る食品用容器１によれば、上面視で底部１１の一方を方形状とし、他方を半楕円形状とすることで、スプーンの挿入側の視認性がよく、且つ、スプーンが入る開口幅を広くすることが可能となる。また、底部１１と連続する第１壁部２１の方形状部２４を楕円形状部２５よりもなだらかに傾斜する曲面とすることで、スプーンの移動を案内可能とし、スプーンの操作性を向上できる。
【００５９】
また、第２壁部２２を設けることで、第１面部３１により、複数の容器体２を積層可能となるとともに、第２面部３２により、スプーンを返す動作を必要とせず、食品をスプーンに移動させることが可能となる。
【００６０】
また、フランジ部１３を設けることで、容器体２に蓋体３を固定可能となり、食品を包装可能となるとともに、容器体２の強度を向上させることが可能となる。これらのことから、食品用容器１は、高い使用性を有するとともに、食品を包装可能となる。
【００６１】
なお、本発明は前記実施の形態に限定されるものではない。上述した例では、食品用容器１は、容器体２及び蓋体３により、その内部に食品を包装する包装容器である旨を説明したがこれに限定されない。即ち、食品用容器１は、蓋体３を除去し、包装された食品を食した後、容器体２を、自助具又は介護用具の容器として繰り返し用いても良い。また、同容器として、食品を包装せず、容器体２のみを容器として用いても良い。この他、本発明の要旨を逸脱しない範囲で種々変形実施可能である。
【符号の説明】
【００６２】
１…食品用容器、２…容器体、３…蓋体、１１…底部、１２…壁部、１３…フランジ部、２１…第１壁部、２２…第２壁部、２４…方形状部、２５…楕円形状部、３１…第１面部、３２…第２面部、１００…食品。
【図１】
2013199288.tif 000003
【図２】
2013199288.tif 000004
【図３】
2013199288.tif 000005
【図４】
2013199288.tif 000006
【図５】
2013199288.tif 000007
【図６】
2013199288.tif 000008
【図７】
2013199288.tif 000009
【図８】
2013199288.tif 000010